(57)【要約】【課題】版の案内を行う版案内部材（３４）を取り外す必要が無い自動洗浄装置を提供する。【解決手段】  洗浄布（１２）を供給するために前記洗浄布のロールを支持する供給軸（１３）と、前記供給軸から供給される前記洗浄布を巻き取る巻取軸（１４）と、前記供給軸及び前記巻取軸の間に配置され、前記洗浄布を必要に応じてブランケット胴（４）に押し付ける洗浄パッド（１６）と、を一体に組み合わせた洗浄ユニット（１１）と、前記洗浄ユニットを前記ブランケット胴の表面を洗浄する位置である洗浄位置Ａと使用済となった前記洗浄布を取り外し、未使用の洗浄布を装着するための位置である布交換位置Ｂとの間を進退動作可能に支持する支持部材とから構成され、前記洗浄ユニットは、前記版胴から取り外す版を案内する版案内部材（３４）を備えていることを特徴とする自動洗浄装置。【選択図】  図１
2017087574.tif 000002
【特許請求の範囲】
【請求項１】
版胴及びブランケット胴を備えたオフセット印刷機のブランケット胴に隣接して配置され、必要に応じて洗浄布を前記ブランケット胴に押し付けることにより前記ブランケット胴の表面を自動的に洗浄する自動洗浄装置において、
前記洗浄布を供給するために前記洗浄布のロールを支持する供給軸と、前記供給軸から供給される前記洗浄布を巻き取る巻取軸と、前記供給軸から前記巻取軸への前記洗浄布の移動経路の途中に配置され、前記洗浄布を必要に応じて前記ブランケット胴に押し付ける洗浄パッドと、を一体に組み合わせた洗浄ユニットと、
前記洗浄ユニットを前記ブランケット胴の表面を洗浄する位置である洗浄位置と使用済となった前記洗浄布を取り外し、未使用の洗浄布を装着するための位置である布交換位置との間を進退動作可能に支持する支持部材とから構成され、
前記洗浄ユニットは、前記版胴から取り外す版を案内する版案内部材備えていることを特徴とする自動洗浄装置。
【請求項２】
前記版案内部材は、前記洗浄ユニットの進退移動と一体となって移動することを特徴とする請求項１に記載の自動洗浄装置。
【請求項３】
前記版案内部材は、前記版胴に接近して、前記版を案内する版案内状態と、前記版を案内しない待機状態の２つの状態がある請求項１に記載の自動洗浄装置。
【請求項４】
前記支持部材は、前記洗浄位置と前記布交換位置とを結ぶ支持レールと、前記洗浄ユニットに設置された支持ローラとを備え、
前記洗浄ユニットは、前記支持ローラにより前記支持レールに沿って移動可能とされたことを特徴とする請求項１〜３のいずれか１項に記載の自動洗浄装置。
【請求項５】
前記版案内部材は、前記洗浄ユニットの進退移動に応じて前記版案内状態と
前記待機状態とが自動的に切り替わることを特徴とする請求項３に記載の自動洗浄装置。
【請求項６】
前記版案内部材は、一つ又は複数のヒンジを備え、前記ヒンジにおいて折り曲げられることにより、前記待機状態になることを特徴とする請求項３に記載の自動洗浄装置。
【発明の詳細な説明】
【技術分野】
【０００１】
本発明は、印刷機のブランケット胴を自動的に洗浄するための自動洗浄装置に関する。
【背景技術】
【０００２】
新聞印刷や商業印刷に使用される印刷機は、いくつかの印刷ユニットを組み合わせて構成される。例えば典型的な４色機では、インキの色ごとに４つの印刷ユニットを並べて構成する。それぞれの印刷ユニットは、版を取り付ける版胴、版胴の画像を引き取って印刷用紙に転写するブランケット胴を備えている。
【０００３】
一方、印刷ユニットは、印刷内容を変更する場合などにおいて、さまざまな付帯作業が発生する。代表的な付帯作業は、ブランケットの表面を洗浄するブランケット洗浄作業であり、また、版胴に装着された版を交換する版交換作業である。
【０００４】
ブランケット洗浄作業には、自動洗浄装置が使用される。自動洗浄装置は、ブランケット胴を低速で回転させておいて、ゴムパッドなどによって、洗浄布をブランケットに押し当てるようになっている。洗浄布は、供給ロールから巻取ロールに自動的に送られるようになっており、かつゴムパッドは、供給ロールと巻取ロールの間に配置されている。自動洗浄装置は、ブランケットの洗浄を無人で行うことができ、特に印刷ユニットを多数組み合わせた新聞印刷機や多色印刷機では、一斉に洗浄ができるため、効果的である。印刷ユニットにおいては、版胴、ブランケット胴及び自動洗浄装置は、相互に隣接するように、印刷ユニットの構造を支持するフレームによって支持されている。
【０００５】
一方版胴における版の交換は、古い版の取り外しと新しい版の装着が必要で、幾分複雑なため、完全な自動化はされていないことが多い。作業は作業者によって行われるが、印刷ユニットを操作しながらまず古い版の取り外しを行い、次に新しい版の取り付けを行う。
【０００６】
版の着脱を行うにあたって、一般的な課題は、古い版の取り外しをいかに確実に行うかというところにある。これは、版胴に巻かれた版は、巻き癖がついており、取り外すときに注意しないと、他のローラに干渉したり、印刷機内に巻き込まれるおそれがあるからである。
【０００７】
付帯作業としての版の交換は、１日に数回行われることが多い。自動洗浄装置の洗浄布の交換や、ブランケット胴のブランケットの交換という付帯作業もあるが、洗浄布の交換、ブランケットの交換は、数日から数週間に１度であることが多い。
【０００８】
特許文献１には、版胴からの版の取り外しを確実に行うための技術が記載されている。ここに記載された技術は、可動式の案内アームによって、版の取り外し及び版の取り付けを案内するようにしている。案内アームは、版の取り外しと装着の両方で、版の先端が所定の軌道を描くように案内する。そのため、ここに記載された技術を使用すれば、版の取り外しと版の装着で版が意図しない部分にからむようなことがない。すなわち、この可動式の案内アームが版の案内をする案内部材として機能する。
【０００９】
特許文献２には、版胴から取り外す版を案内するのに有効な可動式のプロテクタの技術が記載されている。このプロテクタが版の案内部材として機能する。
【先行技術文献】
【特許文献】
【００１０】
【特許文献１】特開２００９−２０８３９０号公報
【特許文献２】特開２００８−０８７３６０号公報
【発明の概要】
【発明が解決しようとする課題】
【００１１】
特許文献１、２に記載された従来の版の案内部材は、版の交換のように頻繁に行う作業には有効であるが、自動洗浄装置の洗浄布の交換や、ブランケットの交換のように、版の交換以外の作業ではその存在がじゃまになり、障害になるという問題があった。
【００１２】
この原因は、従来の版の案内部材が、版胴、ブランケット胴、自動洗浄装置とは独立した構成要素として印刷ユニットのフレームに支持又は取り付けられていたところにある。
【００１３】
そのため、自動洗浄装置の洗浄布の交換やブランケット胴のブランケットの交換にあたっては、毎回版の案内部材を取り外す必要があった。
【課題を解決するための手段】
【００１４】
本発明は、版胴及びブランケット胴を備えたオフセット印刷機のブランケット胴に隣接して配置され、必要に応じて洗浄布を前記ブランケット胴に押し付けることにより前記ブランケット胴の表面を自動的に洗浄する自動洗浄装置において、前記洗浄布を供給するために前記洗浄布のロールを支持する供給軸と、前記供給軸から供給される前記洗浄布を巻き取る巻取軸と、前記供給軸から前記巻取軸への前記洗浄布の移動経路の途中に配置され、前記洗浄布を必要に応じて前記ブランケット胴に押し付ける洗浄パッドと、を一体に組み合わせた洗浄ユニットと、前記洗浄ユニットを前記ブランケット胴の表面を洗浄する位置である洗浄位置と使用済となった前記洗浄布を取り外し、未使用の洗浄布を装着するための位置である布交換位置との間を進退動作可能に支持する支持部材とから構成され、前記洗浄ユニットは、前記版胴から取り外す版を案内する版案内部材備えていることを特徴とする自動洗浄装置とした。
これにより、洗浄ユニットをブランケット胴から離れた位置に移動させることができるので、洗浄布の交換やブランケットの交換の作業を容易に、かつ、安全に行うことができる。
【００１５】
また、本発明は、前記版案内部材は、前記洗浄ユニットの進退移動と一体となって移動することを特徴とする自動洗浄装置とした。
これにより、洗浄ユニットを移動させると版案内部材も一緒に移動するので、洗浄布の交換やブランケットの交換の作業の際、版案内部材を取り外す必要が無く、版案内部材がじゃまにならず容易に作業をすることができる。
【００１６】
また、本発明は、前記版案内部材は、前記版胴に接近して、前記版を案内する版案内状態と、前記版を案内しない待機状態の２つの状態がある自動洗浄装置とした。
これにより、使用済みの版を交換するとき以外は、版案内部材を待機状態にしておくことで、オフセット印刷機や自動洗浄装置の作動の際に版案内部材がじゃまになることを防ぐことができる。
【００１７】
更に、本発明は、前記支持部材は、前記洗浄位置と前記布交換位置とを結ぶ支持レールと、前記洗浄ユニットに設置された支持ローラとを備え、前記洗浄ユニットは、前記支持ローラにより前記支持レールに沿って移動可能とされたことを特徴とする自動洗浄装置とした。
これにより、洗浄ユニットは、支持ローラにより支持レールに沿って洗浄位置と布交換位置を移動することができるので、正確に洗浄位置、布交換位置に移動することができ、移動もスムーズに行うことができる。
【００１８】
また、本発明は、前記版案内部材は、前記洗浄ユニットの進退移動に応じて前記版案内状態と前記待機状態とが自動的に切り替わることを特徴とする自動洗浄装置とした。
これにより、洗浄ユニットの位置に応じて版案内部材の状態が自動的に切り替わるので、切り替えミスも発生せず、安全であると共に、作業者の負担を軽減することができる。
【００１９】
更にまた、本発明は、前記版案内部材は、一つ又は複数のヒンジを備え、前記ヒンジにおいて折り曲げられることにより、前記待機状態になることを特徴とする自動洗浄装置とした。
これにより、版案内部材をヒンジ部分で折り曲げることにより、容易に待機状態にすることができ、待機状態では、版案内部材は折り曲がってコンパクトになっており、オフセット印刷機や自動洗浄装置の作動等において、干渉すること無くじゃまにならない。
【発明の効果】
【００２０】
本発明を実施した自動洗浄装置を備えたオフセット印刷機では、自動洗浄装置が版の案内を行う版案内部材を備えているため、版胴からの使用済の版の取り外しを安全に容易に行うことができる。これは、版案内部材が、巻き癖のついた版であっても版を所定の軌道に案内し、取り外し中の版が、ブランケット胴や自動洗浄装置などに絡まることがないからである。
【００２１】
また、版案内部材を、自動洗浄装置に設けたため、版の案内部材が不要な状態であっても、オフセット印刷機から取り外す必要がない。そのため、版案内部材が、オフセット印刷機の内部に落下する危険がなく、また保管場所を必要としない。
【００２２】
一方で、版案内部材は、版の交換を行わない場合は待機状態、版の交換を行うときは版案内状態となって、その存在が障害にならない。
【図面の簡単な説明】
【００２３】
【図１】本発明の実施の態様の側面図である。
【図２】洗浄パッドの動作説明図である。
【図３】洗浄ユニットの進退移動に応じて版案内状態と待機状態とが自動的に切り替わる版案内部材の例を示した説明図である。
【発明を実施するための形態】
【００２４】
図１は、本発明の実施の態様の側面図である。１は、新聞印刷用のオフセット印刷機の例であり、要部を示したものである。２，３は版胴であり、４，５はブランケット胴である。９は、印刷用紙である。７、８は、印刷用紙９を挟んで、ブランケット胴４，５と反対側にあって、ブランケット胴４，５と組み合わされるブランケット胴である。通常の印刷状態では、印刷用紙９は、矢印１０に示す方向に走行し、版胴２，３及びブランケット胴４，５、７，８はそれぞれ印刷用紙９の走行方向に応じて回転する。版胴２，３及びブランケット胴４，５は、その両端を印刷機全体を支える図示しない一対のフレームに支えられている。
【００２５】
１１は、洗浄ユニットである。洗浄ユニット１１は、ブランケット胴４，５の洗浄を行うために、ブランケット胴４，５と隣接して配置される。印刷用紙９の紙幅は１，６８０ｍｍ程度であり、ブランケット胴４，５を洗浄するための洗浄布１２の幅は、印刷用紙９の幅よりも広い。１３は、洗浄布１２が巻かれたロールである供給ロール１５を回転させるための供給軸であり、１４は、供給ロール１５から供給された洗浄布１２のうち使用済のものを巻き取るための巻取軸である。
【００２６】
洗浄布１２は、供給軸１３に装着された供給ロール１５から供給され、巻取軸１４に巻き取られる。１６，１７は洗浄パッドである。洗浄パッド１６，１７は、供給軸１３から巻取軸１４への洗浄布１２の移動経路の途中に配置されている。洗浄ユニット１１は、供給軸１３、巻取軸１４及び洗浄パッド１６，１７を含んでいる。
【００２７】
２３は、洗浄ユニット１１をブランケット胴４，５に対して進退動作させる支持部材としての支持レールである。支持レール２３は、図示しないフレームに固定されている。図１では、片側のみを示すが、支持レール２３は、一対のフレームの両側にあって、洗浄ユニット１１を両端でフレームに支持する。２４、２５、２６、２７は、支持ローラである。２８は、洗浄ユニット１１の構成要素を支持するサイドプレートである。支持ローラ２４，２５，２６，２７は、洗浄ユニット１１のサイドプレート２８に取り付けられ、支持レール２３を上下から挟んでいる。その結果、洗浄ユニット１１は、支持レール２３に案内されて、ブランケット胴４，５に対して進退移動が可能である。Ａの位置は洗浄位置であり、Ｂの位置は布交換位置である。洗浄ユニット１１は、洗浄位置Ａにおいて、ブランケット胴４、５の洗浄が可能であり、布交換位置Ｂで洗浄布１２の交換を行う。なお、洗浄ユニット１１の移動は、必要に応じて、布交換を行う作業者が、手動によって移動させるのが良い。
【００２８】
上記において、洗浄ユニット１１を洗浄位置Ａと布交換位置Ｂとに移動自在にする移動手段としての支持部材として、支持レール２３及び支持ローラ２４，２５，２６，２７を用いたもので説明したが、これに限定されるものでは無く、様々な手段で移動可能にすることができる。しかしながら、安定性、安全性、移動に容易さ等の観点から、上述したように支持レール２３と支持ローラ２４，２５，２６，２７を用いたものがより好ましい。支持レール２３の数と、支持ローラ２４，２５，２６，２７の数は、上述したものは例であり、その装置の構成によって適した数で構成されることが好ましい。
【００２９】
また、どのような手段で洗浄ユニット１１を洗浄位置Ａと布交換位置Ｂとに移動自在にするにしても、洗浄ユニット１１を洗浄位置Ａと布交換位置Ｂとで固定できる固定手段を設けることができる。固定手段としては、どのような手段を用いても良いが、例えば、洗浄ユニット１１が動かないように、洗浄ユニット１１の移動を阻止するストッパ（不図示）を取り付けることができる。
【００３０】
ストッパは、例えば、フレームまたは支持レール２３と、洗浄ユニット１１とにそれぞれ取り付けることができ、ストッパを移動不可の位置に動かすことにより、洗浄ユニット１１のストッパと、フレーム又は支持レール２３に取り付けられたストッパとが互いに当接することで洗浄ユニット１１を移動不可にすることができる。また、ストッパを移動可の位置に動かすことにより、洗浄ユニット１１のストッパと、フレーム又は支持レール２３に取り付けられたストッパとが互いに当接しない位置関係となり、洗浄ユニット１１を移動可能とすることができる。
【００３１】
また、洗浄ユニット１１の移動は、上述したように作業者が必要に応じて手動で行うことが好ましいが、モータ等の駆動手段を設け、作業者のスイッチ操作で駆動手段を動作させることにより、駆動手段によって洗浄ユニット１１を移動させても良い。
【００３２】
モータ等の駆動手段で洗浄ユニット１１を移動させる構成を採用する場合には、移動中に作業者が巻き込まれる等の事故を防止するために、音声やランプによって移動を知らせる警告装置を設けることが好ましい。また、洗浄ユニット１１の移動経路上の障害物を検知するセンサを設け、人や物などの障害物が移動経路上にあるときは、自動的に移動がストップする装置を設けることによって事故を防止することができる。
【００３３】
２９は、使用済の版である。３０は、未使用の版である。未使用の版３０は、版胴２を矢印３１に示すように時計方向に回転させて巻きつけられる。未使用の版３０は、版胴２に巻きつけるときには曲がりのない平板である。
【００３４】
使用済の版２９は、版胴２を矢印３２に示すように、反時計方向に回転させて取り外す。このとき、使用済の版２９は、版胴２の曲面の影響を受けて曲面になっており、使用済の版２９の先端３３の位置が定まらない。
【００３５】
３４は、版案内部材である。版案内部材３４は、取付部３５によって、サイドプレート２８に取り付けられている。版案内部材３４は、使用済の版２９を、版胴２から取り外すときに、先端３３がブランケット胴４に接触しないように、使用済の版２９を案内する。すなわち、版案内部材３４は、洗浄ユニット１１が、洗浄位置Ａにあるときに、版胴２から外している途中の使用済の版２９の先端３３とブランケット胴４との間になるように配置される。このときの版案内部材３４の状態を、版案内状態と称する。
【００３６】
３７ａは、版案内部材３４である板状の版案内板を折り曲げることのできるヒンジである。版案内部材３４は、使用済の版２９を外すとき以外は不要なので、３６に示すようにヒンジ３７ａで折り曲げて待機状態として折りたたむようにしても良い。
【００３７】
待機状態において、図１に示すように、ヒンジ３７ａと取付部３５に取り付けたヒンジ３７ｂとで折り曲げてコンパクトにする構成としても良いし、取付部３５に取り付けたヒンジ３７ｂのみで折り曲げた構成としても良い。これにより、版案内部材３４を使用しないときは、いちいち取り外す必要は無く、折り曲げて待機状態にしておくことにより、作業等のじゃまにならない。
【００３８】
また、版案内部材３４は、洗浄ユニット１１の進退動作に連動して、版案内状態と待機状態とが自動的に切り替わるようにすることができる。このように、洗浄ユニット１１の進退動作に連動して、版案内状態と待機状態とが自動的に切り替わる構成としては、様々な構成を採用できるが、例えば、ヒンジ３７ａ、３７ｂをそのまま使用して、フレームに対する洗浄ユニット１１の位置に連動したリンクを用いて、版案内部材３４の状態（版案内状態と待機状態）を変えるように構成することができる。
【００３９】
或いは、版案内部材３４は、ヒンジ３７ａやヒンジ３７ｂを使用しない一体構造とし、洗浄ユニット１１の進退動作に応じて、版案内状態と待機状態との間で変化するように構成されても良い。
【００４０】
図３は、洗浄ユニット１１の進退移動に応じて版案内状態と待機状態とが自動的に切り替わる版案内部材の例を示したものである。版案内部材４０は、屈曲可能でかつ自立できるプレートである。４１は、図示しないフレームに固定された案内レールである。４３は、版案内部材４０とカムプレート４２とを結合させるためのリンクである。４４は、カムプレート４２に設けた案内溝である。案内溝４４は、リンク４３を移動可能に案内する。
【００４１】
版案内部材４０は、案内レール４１に沿って、案内レール４１内を移動可能である。カムプレート４２は、サイドプレート２８に固定されており、洗浄ユニット１１と一体となって進退動作する。このため、洗浄ユニット１１が進退動作すると、カムプレート４２も進退動作し、カムプレート４２の進退動作に伴ってリンク４３は、版案内部材４０を進退移動させる。
【００４２】
その際、版案内部材４０は、案内レール４１内を案内されて移動するので、図３に示すように、洗浄ユニット１１が洗浄位置Ａにあるときは、版案内状態（使用済みの版の先端３３が周りの装置に接触しないように案内する状態）になり、洗浄ユニット１１が布交換位置Ｂにあるときは、待機状態（洗浄布１２の交換等の作業のじゃまにならない状態）に自動的に変化することができる。即ち、版案内部材４０は、洗浄ユニット１１の進退動作に伴って、自動的に版案内状態と待機状態が切り替わる。
【００４３】
なお、リンク４３は、版案内部材４０に当接して押すことにより、洗浄ユニット１１の進退移動に伴って版案内部材４０を移動させても良いが、リンク４３と版案内部材４０とを接合することにより、版案内部材４０を確実に移動させる構成を採用することもできる。
【００４４】
洗浄ユニット１１は、布交換位置Ｂにおいて、洗浄布１２の交換が可能である。すなわち巻取軸１４に巻かれた使用済の洗浄布のロールを、矢印３８に示すように取り外し、未使用の洗浄布のロールを供給軸１３に矢印３９に示すように装着することができる。
【００４５】
また、洗浄ユニット１１が布交換位置Ｂにあるときには、ブランケット胴４，５から洗浄ユニット１１が離れている。そのため、ブランケット胴４，５のブランケットの交換や点検も容易に行うことができる。さらに、版案内部材３４は、洗浄ユニット１１と一体となって布交換位置Ｂに移動しているため、ブランケット交換などの障害とはならず、かつ版案内部材３４と洗浄ユニット１１とが結合しているため、そのたびに印刷ユニットから版案内部材３４を取り外す必要はない。
【００４６】
図２は、洗浄パッド１６の動作説明図である。洗浄パッド１６は、金属などの剛体で作られたサポートバー１８と、サポートバー１８に取り付けられた弾性パッド１９とから構成されている。弾性パッド１９は、ブランケット胴４を洗浄する場合は、弾性パッド１９とサポートバー１８との間の空間２０に高圧空気が供給される。その結果、弾性パッド１９は空気圧により膨張し、洗浄布１２は、ブランケット胴４の外周面２２に押し付けられる。
【００４７】
一方、洗浄が必要でない場合は、空間２０内の空気が抜かれて、弾性パッド１９は、２１に示すように収縮し、洗浄布１２は、ブランケット胴４の外周面２２から離れる。図２に示すように、洗浄布１２は、洗浄パッド１６とブランケット胴４との間を通過する。布を通過させる作業は、図１に示す洗浄ユニット１１が布交換位置Ｂにあるときに行う。
【００４８】
洗浄ユニット１１が布交換位置Ｂにあるときに、洗浄布１２の交換を行う。洗浄布１２の交換は、巻取軸１４に巻き取られている、洗浄に使用された洗浄布１２のロールを取り外し、新しい洗浄布１２で構成された供給ロール１５を供給軸１３に取り付けることによって行われる。
【００４９】
供給軸１３に取り付けられた供給ロール１５の洗浄布１２の先端は、２つの洗浄パッド１６にそれぞれ設置された弾性パッド１９の表面を順番に通して巻取軸１４に巻き取らせる。これにより、洗浄ユニット１１を洗浄位置Ａに移動させることにより、洗浄布１２は、弾性パッド１９とブランケット胴４との間に位置することになる。
【符号の説明】
【００５０】
１    オフセット印刷機
２，３    版胴
４，５，７，８    ブランケット胴
９    印刷用紙
１１    洗浄ユニット
１２    洗浄布
１３    供給軸
１４    巻取軸
１５    供給ロール
１６，１７    洗浄パッド
１８    サポートバー
１９    弾性パッド
２０    空間
２２    外周面
２３    支持レール
２４，２５，２６，２７    支持ローラ
２８    サイドプレート
２９    使用済の版
３０    未使用の版
３３    先端
３４    版案内部材
３５    取付部
３７ａ    ヒンジ
３７ｂ    ヒンジ
４０    版案内部材
４１    案内レール
４２    カムプレート
４３    リンク
４４    案内溝
Ａ    洗浄位置
Ｂ    布交換位置
【図１】
2017087574.tif 000003
【図２】
2017087574.tif 000004
【図３】
2017087574.tif 000005